(57)【要約】  合成デッキシステムは、デッキ部材およびコンクリート部材を有する。本発明のデッキ部材はデッキ部を備え、間隔を置かれた別々の上部壁につなかった側壁を有する長手方向延伸リブをそれぞれ有している。側壁の反対端で、デッキ部とコンクリート間に合成作用を容易にするために寸法取りされるフランジに伴う開口を含む上向きフランジを有する横縁またはウェブを備えることができる。本システムは、図示されたように、第２デッキ部に隣接した、第１デッキ部を備え、第１、第２デッキ部の横縁が並置された関係にある。これらのデッキ部は、合成デッキを形成するために、コンクリートと結合されることができる。
2011501002.tif 000002
【特許請求の範囲】
【請求項１】
第１デッキ部は、第１上面、第１側壁、および上向きフランジを有する第１横縁を有し；
第２デッキ部は、第２上面、第２側壁、および上向きフランジを有する第２横縁を有し、前記第１デッキ部と前記第２デッキ部は、それらの長手方向軸に伴い隣接し、前記第１上向きフランジは前記第２上向きフランジと並置された関係にあり、前記第１上向きフランジは、第１開口を備え；そして
コンクリート層は、前記第１上面と前記第２上面に位置し、前記第１上向きフランジと前記第２上向きフランジを取り囲んでいることを特徴とする合成デッキ。
【請求項２】
前記第２上向きフランジが、第２開口を含む請求項１に記載の合成デッキ。
【請求項３】
前記第２開口が前記第１開口と適合する請求項２に記載の合成デッキ。
【請求項４】
前記第１開口と前記第２開口が円形である請求項２に記載の合成デッキ。
【請求項５】
前記第１開口と前記第２開口が長方形である請求項２に記載の合成デッキ。
【請求項６】
前記第１開口と前記第２開口があらゆる幾何学的形状であることのできる請求項２に記載の合成デッキ。
【請求項７】
前記第１上向きフランジと前記第２上向きフランジに穴があけられる請求項１に記載の合成デッキ。
【請求項８】
前記第１上向きフランジが、第１リムにつながった第１ベース部材を備え、前記第２上向きフランジが第２リムにつながった第２ベース部材を備える請求項１に記載の合成デッキ。
【請求項９】
前記第１リムの平面と前記第２リムの平面が、それぞれ第１横縁の平面と第２横縁の平面と、それぞれとほとんど平行であり、前記第１ベース部材と前記第１横縁間の角度Ａが約９０度であり、前記第２ベース部材と前記第２横縁間の角度Ｂが約９０度である請求項８に記載の合成デッキ。
【請求項１０】
前記第１リムの平面と前記第２リムの平面が前記横縁の平面と前記第２横縁の平面によってそれぞれある角度をなし、前記第１ベース部材と前記第１横縁間の角度Ａが約９０度以上であり、前記第２ベース部材と前記第２横縁間の角度Ｂが約９０度以下である請求項８に記載の合成デッキ。
【請求項１１】
第１側壁と上面につながった第２側壁によって形成される長手方向延伸リブ、第１上向きフランジを有する横縁を備えている前記第１側壁、第２上向きフランジを有する第２横縁を備えている前記第２側壁、開口を備えている前記第１上向きフランジを具備することを特徴とする合成デッキシステムに用いられるデッキ部。
【請求項１２】
前記第２上向きフランジは、第２開口を含む請求項１１に記載のデッキ部。
【請求項１３】
前記第１開口と前記第２開口が円形である請求項１２に記載のデッキ部。
【請求項１４】
前記第１開口と前記第２開口が長方形である請求項１２に記載のデッキ部。
【請求項１５】
前記第１開口と前記第２開口があらゆる幾何学的形状であることのできる請求項１２に記載のデッキ部。
【請求項１６】
前記第１上向きフランジと前記第２上向きフランジに穴があけられる請求項１１に記載のデッキ部。
【請求項１７】
前記第１上向きフランジは入れ子フランジであり、前記第２上向きフランジは重なりフランジである請求項１１に記載のデッキ部。
【請求項１８】
前記第１フランジは第１リムにつながった第１ベース部材を備え、前記第２フランジは第２リムにつながった第２ベース部材を備える請求項１７に記載の合成デッキ。
【請求項１９】
前記第１リムの平面と前記第２リムの平面がそれぞれ第１横縁の平面と第２横縁の平面と、それぞれとほとんど平行であり、前記第１ベース部材と前記第１横縁間の角度Ａが約９０度であり、前記第２ベース部材と前記第２横縁間の角度Ｂが約９０度である請求項１８に記載の合成デッキ。
【請求項２０】
前記第１リムの平面と前記第２のリムの平面が、それぞれ前記第１横縁の平面と前記第２横縁の平面によってそれぞれある角度をなし、前記第１ベース部材と前記第１横縁間の角度Ａが約９０度以上であり、前記第２ベース部材と前記第２横縁間の角度Ｂが約９０度以下である請求項１８に記載の合成デッキ。
【請求項２１】
第１側壁と第１上面につながった第２側壁によって形成された第１長手方向延伸リブ、第１上向きフランジを有する第１横縁を備える前記第１側壁、第１切断、第２切断、および前記第１、第２切断間の第１折り目を備える前記第１上向きフランジ；
前記第１長手方向延伸リブに隣接している第２長手方向延伸リブ、第３側壁および第２上面につながった第４側壁によって形成された前記第２長手方向延伸リブ、第２上向きフランジを有する第２横縁を備える前記第３側壁、第３切断、第４切断、および前記第３、第４切断間の第２折り目を備える前記第２上向きフランジ、そして前記第２折り目と前記第１折り目が入れ子になるように、前記第２折り目は前記第１折り目を覆うことを特徴とする合成デッキシステムに用いられるデッキ部。
【発明の詳細な説明】
【技術分野】
【０００１】
本発明は合成デッキに関する。
【背景技術】
【０００２】
金属デッキまたは金属板の使用がコンクリートスラブと混成して作用することは、公知である。これらの構造は一般に、「合成デッキ」と呼ばれ、しばしば床面の建設において使用される。合成デッキは、それらが鋼材およびコンクリート部材の両方の強度を使用するので、非合成デッキより効率的であり、結果としてより軽く、より費用効果的な床面になる。合成デッキが建設用途で広く使用されている理由は、これらの部材が構造的に頑丈、経済的、双方あるので大きな需要がある。このように、合成デッキの機能性および耐久性は、最も重要である。
【０００３】
合成デッキが適切に機能し、長い寿命を有することを確実にするために、コンクリートと金属デッキもしくは金属板の間の相互作用は、完全な状態を維持しなければならない。合成デッキは、金属板とコンクリート接合面の間に発生する分離がより少なく、より安定し、より強いものである。したがって、金属デッキとコンクリート間の「協働」または「合成作用」は、合成デッキの全体の成果を決定することができる。
【０００４】
さまざまな手段が、金属デッキとコンクリートの間の合成作用を強化するために用いられた。例えば、金属板に伴うエンボス加工が使用されている。デッキ異形材の寸法および剛性を変更することもまた使用されている。加えて、デッキのウェブに溶接される鋼線の使用は、合成作用を強化するために使用されている。これらの手段によってできる合成作用を得ることは、しかしながら、しばしばこの種のデバイスによって必要とされる構造設計の柔軟性の低下によって否定されている。その上、デッキとこれらの装置のコンクリート間の合成作用は、理想的でなくて、まだ改良されることができる。
【０００５】
したがって、金属デッキ部材とコンクリートの間に改良された合成作用を呈することができ、建設用途に、より大きな全体の柔軟性を提供することができる合成デッキシステムの必要性が存在する。
【発明の概要】
【０００６】
以下は、本発明のいくつかの態様の基本的な理解を提供するための、簡略化した発明の開示を示す。この開示は、本発明の広範囲な概要でない。本発明の鍵もしくは重要な要素を確認し、または本発明の範囲を正確に概説することを目的としない。その唯一の目的は、後で示されるより詳細な説明の前置きとして本発明のいくつかの概念を単純化された形式で示すことである。
【０００７】
本発明は、デッキ部材およびコンクリート部材を有する合成デッキシステムを含む。本発明のデッキ部材はデッキ部を含み、間隔が置かれた別々の上部壁につながった側壁を有する長手方向に延伸しているリブをそれぞれ有している。側壁の反対端で、デッキ部とコンクリートの間に合成作用を容易にするために寸法取りされるフランジに伴う開口を有する上向きフランジを有する横縁またはウェブが含まれることができる。ここで使用する「合成作用」とは、デッキとコンクリートの間の相互作用を示す。本システムは、第１および第２のデッキ部の横縁が、並置された関係にあり、第２デッキ部に隣接した、記載されたような、第１デッキ部を含む。これらのデッキ部は、合成デッキを形成するために、コンクリートと結合されることができる。
【０００８】
本発明の特徴は、デッキと現場打ちコンクリート間の合成相互作用を獲得するために開口部が寸法取りされているフランジによって、並置された関係にある、上向きフランジを有する横縁を有するデッキ部を用いる合成デッキシステムの使用である。特に、デッキフランジは、切欠きまたは穿孔のような多種多様な開口部を含むことができる。これらの開口部は、デッキとコンクリート間に強化された合成作用を獲得するために、横縁と協調して作用することができる。コンクリート部材がデッキ部に加えられるときに、開口部はデッキの配置に関連するコンクリートに垂直および水平両方向に固着を生じさせることができる。デッキとコンクリート間の高められた適合性を備え、合成デッキを使用している建設用途においてより大きな柔軟性が生じる。例えば、本発明の合成デッキシステムは、より長く、より広いデッキスパンを持たせることができる。さらに、本発明の合成デッキシステムによって提供される強度は、柱や梁のような他の構造部材が除去され、および／または更に離れた間隔に置かれることを可能にすることができる。この付加的な柔軟性は、従って、異なる美的環境を提供することができる。加えて、より少ない構造部材を要して、建設費用および部材の取付け時間を、軽減することができる。
【０００９】
本発明の他の特徴は、上向きフランジを有する横縁を有するデッキ成分の使用を含む。この特徴はデッキ部とコンクリート間に垂直に固着することを更に強化することができる。その上、上向きフランジは、柱として作用することができ、それにより、合成デッキシステムの載荷容量が増す。特に、この特徴は、重なり合う負荷条件の下でデッキとコンクリート間の異なる歪みの垂直分力に、制限を与えることができる。
【００１０】
本発明の他の特徴および効果は、以下に示される、図面を伴う好ましい実施例の詳細な開示を精読することにより当業者に明らかになる。
【図面の簡単な説明】
【００１１】
【図１Ａ】本発明の合成デッキシステムの第１実施例に従って、コンクリート部材を含むデッキ部の平面図を図示する。
【図１Ｂ】本発明の合成デッキシステムの第１実施例に従って、コンクリート部材と結合するデッキ部の平面図を図示する。
【図２】本発明の合成デッキシステムの第１実施例のデッキ部分の端面図を図示する。
【図３Ａ】本発明の合成デッキシステムの第１実施例の隣接するデッキ部分の透視図を図示する。
【図３Ｂ】本発明の合成デッキシステムの第１実施例の図３Ａの隣接するデッキ部分の端面図を図示する。
【図４Ａ】本発明の合成デッキシステムの別の実施例に従って、コンクリート部材を含むデッキ部の平面図を図示する。
【図４Ｂ】本発明の合成デッキシステムの別の実施例に従って、コンクリート部材を含むデッキ部の平面図を図示する。
【図５】本発明の合成デッキシステムの第１実施例に従って、隣接するデッキ部の平面図を図示する。
【図６Ａ】本発明の合成デッキシステムの第１実施例に従って第１実施例の図５の線６Ａ―６Ａでとられる隣接するデッキ部の横断面視図を図示する。
【図６Ｂ】本発明の合成デッキシステムの第１実施例に従って第１実施例の図５の線６Ｂ―６Ｂでとられる隣接するデッキ部の横断面視図を図示する。
【図７Ａ】本発明の合成デッキシステムの別の実施例の隣接するデッキ部分の透視図を図示する。
【図７Ｂ】本発明の合成デッキシステムの別の実施例の図４Ａの隣接するデッキ部分の端面図を図示する。
【図８Ａ】本発明の合成デッキシステムの別の実施例の隣接するデッキ部分の透視図を図示する。
【図８Ｂ】本発明の合成デッキシステムの別の実施例の図５Ａの隣接するデッキ部分の端面図を図示する。
【図９】本発明の合成デッキシステムの別の実施例の隣接するデッキ部分の透視図を図示する。
【図１０】本発明の合成デッキシステムの別の実施例の隣接するデッキ部分の透視図を図示する。
【図１１】本発明の合成デッキシステムの別の実施例の隣接するデッキ部分の透視図を図示する。
【図１２】本発明の合成デッキシステムの別の実施例の隣接するデッキ部分の端面図を図示する。
【図１３】本発明の合成デッキシステムの別の実施例の隣接するデッキ部分の透視図を図示する。
【図１４】本発明の合成デッキシステムの別の実施例の隣接するデッキ部分の透視図を図示する。
【発明を実施するための形態】
【００１２】
図１Ａ〜１Ｂにて図示したように、本発明は、デッキ部材１２およびコンクリート部材１４を含む合成デッキシステム１０を備える。デッキ部材１２は、それらの長手方向軸に沿って隣接する第１デッキ部１６および第２デッキ部１８を備えることができる。付加的なデッキ部は、合成デッキシステムの必要な幅およびデッキ部の寸法に応じて用いることができる。用いられたデッキは、鋼板のような、金属で製造されることができる。鋼板が使用される場合、鋼板の厚みは合成デッキとなるための用途次第である。通常、第１デッキ部１６および第２デッキ部１８は、長手方向に延伸していて、図２に示すように、突出しているリブ５０を含む。リブ５０の図示は、作業場所にデッキ部を配置するために、単に完備性のために記入されており、それゆえ、リブ５０の形状は、構造および／または美的選択に応じて変化することができる。なお、別の方法は本発明から合成デッキシステム１０を構成するために用いられることができ、１つの方法は、デッキ部１６、１８を接続し、心出しの後、適所にコンクリートを注入し、また、耐荷重性部材のような構造をデッキ部１６、１８が得ることを備えることができる。
【００１３】
第一の実施例においては、第１デッキ部１６は、第１上面２０が第１側壁２２および第１横縁２４とつながり、第１横縁２４は、第１上面２０の平面と、ほぼ平行して平面にあり、第１開口部２８を有する第１上向きフランジ２６を備えている。第２デッキ部１８は、第１デッキ部１６とほぼ同一であり、第２上面３０は第２側壁３２および第２横縁３４とつながり、第２横縁３４は、第２上面３０の平面と、ほぼ平行して平面にあり、第１上向きフランジ２６に対する並置された関係にある第２開口３８を有する第２上向きフランジ３６を備えている。コンクリート部材は、第１および第２デッキ部１６、１８に配置されるコンクリート層４０を含むことによりコンクリート層４０が第１および第２上向きフランジ２６、３６を備えているデッキ部を取り囲む。
【００１４】
ここに述べられたように、本発明の特徴は開口を含むフランジを有する横縁を有するデッキ部の使用を含む。これらの開口は、デッキ部１６、１８とコンクリート間に強化された合成作用を獲得するために、横縁と協調して作用することができる。第１実施例を使用することにより、例えば、コンクリート部材１４がデッキ部１６、１８に加えられるときに、開口２８、３８は、デッキの配置に関連してコンクリート４０と垂直および水平両方向に固着を生じさせることができる。特に、フランジは、規則的でほぼ連続的態様にある相互作用のひずみを分散することにより、多くの合成デッキシステムに共通している端部のすべり現象を最小限にしている。さらに、フランジがコンクリート４０に閉じ込められることにより、相互作用の位置でデッキを強化しており、この特徴はデッキが精密な軸受形式能力に対する歪みに抵抗することを可能にする。
【００１５】
デッキとコンクリート４０間の改良された適合性とともに、合成デッキシステム１０を用いる建設用途においてより大きな柔軟性が生じる。例えば、本発明の合成デッキシステム１０は、より長く、より広いデッキスパンを持たせることができる。さらに、本発明の合成デッキシステム１０によって提供される強度は、柱や梁のような他の構造部材が除去され、および／または更に離れた間隔に置かれることを可能にすることができる。この付加的な柔軟性は、従って、異なる美的環境を提供することができる。加えて、より少ない構造部材を要して、建設費用および部材の取付け時間を、軽減することができる。
【００１６】
本発明の他の特徴は、上向きフランジを有する横縁を有するデッキ部材の使用を含む。この特徴は、デッキ部とコンクリートの間に垂直固着を更に強化することができる。その上、上向きフランジは柱として作用することができ、それにより、合成デッキシステム１０の載荷容量が増す。特に、この特徴は、重なり合う負荷条件の下でデッキとコンクリート４０間の異なる歪みの垂直分力に、制限を与えることができる。
【００１７】
第１および第２上向きフランジ２６、３６の特定形状および寸法は、フランジに伴う開口と同様に変化することができる。図３Ａ〜３Ｂに示される実施例１において、第１および第２上向きフランジ２６、３６は、デッキ部１６、１８の第１および第２横縁２４、３４に対して、ほぼ垂直にすることができる。さらに図に示されるように、フランジ２６、３６は通常、それぞれ、第１および第２突出リム２７、３７につながった第１および第２ベース部材２９、３９を含む逆Ｌ字形状を有することができ、デッキ部１６、１８に伴い長手方向に延伸することができる。第１および第２リム２７、３７の平面は、第１および第２横縁２４、３４の平面と、ほぼ平行である。加えて、第１フランジ２６と第１横縁２４間の角度Ａは、約９０度であり、第２フランジ３６と第２横縁間の角度Ｂは約９０度である。フランジが並置されるために、第２フランジ３６は第１フランジ２６に重なるように寸法取りされることができる。合成デッキが配列されるときに、第１および第２フランジ２６、３６がかみ合わされるか、または重ねられるように、デッキ部１６、１８は整列配置されることができる。
【００１８】
合成デッキシステム１０の用途に応じて、各デッキ部は、横縁の一方に伴い、または、両方の横縁に伴うものとして現在記載されているフランジを含むことができる。デッキ部が中心部として使用されており、いずれの側にある隣接するデッキ部を含む場合には、そのデッキ部は、図２で示すように、その横縁の両側にフランジを含むことができる。さらに、フランジが実施例１の形状で用いる場合、デッキ部は横縁の一方に伴う入れ子フランジ５１および反対側の横縁に伴う重なりフランジ５３を有する。
【００１９】
Ｌ字形状に加えて、第１および第２フランジ２６、３６は、開口を含むこともできる。図に示すように、各フランジは、開口２８、３８を含む。特に、開口は、形状がおよそ長方形であり、フランジリム２７、３７の端に伴う切欠き部が含まれることができる。第１および第２フランジ２６、３６が両方とも開口を含む場合、開口２８、３８は、ほぼ同一サイズ、同一位置にすることができ、これによって、第１フランジ２６および第２フランジ３６が整列配置されるときに、開口２８、３８は整合される。ここで使用される「整合された開口」とは、ほぼ同一形状および寸法であり、並置された第１および第２フランジに沿ってほぼ同じ位置に配置される開口を示す。あるいは、１つの開口が、第１および第２フランジリム２７、３７の一方もしくは両方に伴い、同様に、第１および第２ベース部材２９、３９の一方もしくは両方に伴うことができ、または、複数の開口が、第１および第２フランジ２６、３６一方もしくは両方に伴っており、同様に、第１および第２ベース部材２９、３９の一方もしくは両方に伴うことができる。
【００２０】
代替実施例は、本発明によっても考察される。これらの実施例は、図４Ａ〜１４に示される。第１の代替実施例は、図４Ａ〜４Ｂのコンクリート部材と結合して図に示されて、図５Ａ〜６Ｂにて詳細に図に示され、第１および第２上向きフランジ２６、３６は、デッキ部１６、１８の第１および第２横縁２４、３４に対して、ほぼ垂直にすることができる。さらに図に示されるように、フランジ２６、３６は通常、それぞれ、第１および第２突出リム２７’、３７’につながった第１および第２ベース部材２９’、３９’を含む逆Ｌ字形状を有することができ、デッキ部１６、１８に伴い、長手方向に延伸することができる。特に、第１フランジ２６は、第１および第２切断２８’並びに第３および第４切断３８’をそれぞれ含む第２フランジ３６を備えることができる。切断２８’、３８’との間に、フランジ２６、３６は、第１折り目２１および第２折り目２３が、それぞれ長手方向縁部に伴うことを備える。図に示すように、第２折り目２３は第１折り目２１を覆い、その結果、折り目は重ねられる。第１および第２リム２７’、３７’の平面は、第１および第２横縁２４、３４の平面と、ほぼ平行である。加えて、第１フランジ２６と第１横縁２４間の角度Ａは約９０度であり、第２フランジ３６と第２横縁間の角度Ｂは約９０度である。フランジが並置されるために、第２フランジ３６は第１フランジ２６に重なるように寸法取りされることができる。合成デッキが配列されるときに、第１および第２フランジ２６、３６がかみ合わされるか、または重ねられるように、デッキ部１６、１８は整列配置されることができる。
【００２１】
図７Ａ〜７Ｂに示される他の代替実施例において、第１および第２フランジ２６、３６は第１実施例のフランジに似た形状だが、但し、第１および第２フランジ２６、３６は横縁２４、３４に関して異なる角度である場合は除かれる。特に、第１フランジ２６と第１横縁２４間の角度Ａは約９０度以上であり、第２フランジ３６と第２横縁３４間の角度Ｂは約９０度未満である。加えて、フランジの角度が明瞭であるので、第１および第２リム２７、３７の平面が第１および第２横縁２４、３４の平面と、もはや平行でなく、第１および第２横縁の平面の角度に代わる。あるいは、１つの開口が、第１および第２フランジリム２７、３７の一方もしくは両方に伴い、同様に、第１および第２のベース部材２９、３９の一方もしくは両方に伴うことができ、または、複数の開口が、第１および第２フランジ２６、３６の一方もしくは両方に伴い、同様に、第１および第２ベース部材２９、３９の一方もしくは両方に伴うことができる。
【００２２】
図８Ａ〜８Ｂは、別の代替実施例を図示する。図に示すように、この実施例のフランジ２６、３６は図７Ａ〜７Ｂの実施例と類似しているが、但し、開口２８、３８がフランジリム２７、３７の縁部に伴う切欠きでなくて、むしろ、円形であることのできるフランジリム２７、３７の中の開口である場合は除く。また、第１フランジ２６と横縁２４間の角度Ａは約９０度以上であり、第２フランジ３６と第２横縁間の角度Ｂは約９０度未満である。あるいは、１つの開口が、第１および第２フランジリム２７、３７の一方もしくは両方に伴い、同様に、第１および第２のベース部材２９、３９の一方もしくは両方に伴うことができ、または、複数の開口が、第１および第２のフランジ２６、３６の一方もしくは両方に伴い、同様に、第１および第２のベース部材２９、３９の一方もしくは両方に伴うことができる。
【００２３】
さらに別の代替実施例は、図９に図示される。図に示すように、フランジ２６、３６は図８Ａ〜８Ｂに記載されている実施例と類似しているが、但し、開口２８、３８の形状が長方形であることができる場合は除かれる。あるいは、１つの開口が、第１および第２フランジリム２７、３７の一方もしくは両方に伴うことができ、同様に、第１および第２ベース部材２９、３９の一方もしくは両方に伴い、または、複数の開口が、第１および第２フランジ２６、３６の一方もしくは両方に伴うことができ、同様に、第１および第２ベース部材２９、３０の一方もしくは両方に伴うことができる。
【００２４】
図１０は、前記された実施例とは異なる代替実施例を図示し、それぞれの上縁部に伴う第１および第２フラップ２７、３７を含まないフランジ２６、３６を図示する。したがって、第２フランジ３４の重なりが第２フランジ２４上になく、図１２に示すように、各フランジは通常、約９０度で上に向いている。さらに、開口２８、３８は、既に触れたベース部材２９、３９に伴い備えることができる。特に、開口は、長方形に成型されることができる。あるいは、１つの開口が第１および第２ベース部材２９、３９の一方もしくは両方に伴うことができ、または、複数の開口が第１および第２のベース部材２９、３９の一方もしくは両方に伴うことができる。
【００２５】
図１１および１３は、図１０と類似している別の実施例を図示する。特に、図１１に示されるフランジ２６，３６は、図１０に記載され示されるフランジと類似しているが、但し、開口２８、３８はフランジ２６、３６のそれぞれ上部、長手方向縁部に伴う切欠きである場合は除かれる。その上、この実施例は、第１フランジ２６の開口２８の位置決めが第２フランジ３６の開口３８に整合する必要がないことを示す。図１１に示すように、開口３８は、フランジ２６によって遮られている。図１３は、図１０に記載され示されるものと類似のフランジ２６、３６を図示するが、但し、開口２８、３８は形状が円形の場合は除かれる。
【００２６】
特定の形状および位置が開口２８、３８に関して記載され示されたにもかかわらず、いかなる幾何学的形状もフランジ２６、３６のいかなる領域にも伴い使用されることができる。その上、フランジに伴う開口の数は、変化することもできる。例えば、図１１に示すように、フランジ２６、３６は、水玉模様型パターン７０を提供するように、全体に穴が開けられることができる。加えて、図２に示されるデッキ部が記載されている代替フランジ実施例のいずれかを含むことができ、必ずしも入れ子フランジおよび重なりフランジを含む必要があるというわけではないことを理解すべきである。
【００２７】
複合デッキの当業者は、多くの置換および修正が本発明の精神と範囲から逸脱することなく前述の好ましい実施例においてなされることができると認識するであろう。
【図１Ａ】
2011501002.tif 000003
【図１Ｂ】
2011501002.tif 000004
【図２】
2011501002.tif 000005
【図３Ａ】
2011501002.tif 000006
【図３Ｂ】
2011501002.tif 000007
【図４Ａ】
2011501002.tif 000008
【図４Ｂ】
2011501002.tif 000009
【図５】
2011501002.tif 000010
【図６Ａ】
2011501002.tif 000011
【図６Ｂ】
2011501002.tif 000012
【図７Ａ】
2011501002.tif 000013
【図７Ｂ】
2011501002.tif 000014
【図８Ａ】
2011501002.tif 000015
【図８Ｂ】
2011501002.tif 000016
【図９】
2011501002.tif 000017
【図１０】
2011501002.tif 000018
【図１１】
2011501002.tif 000019
【図１２】
2011501002.tif 000020
【図１３】
2011501002.tif 000021
【図１４】
2011501002.tif 000022
【国際調査報告】
2011501002.tif 000023